(57)【要約】【目的】取り扱いが容易であるとともに、施解錠操作も簡単で、かつ、施解錠コードが可変な引き戸用補助錠の提供を目的とする。【構成】開閉操作により相手部材１に対して相対移動する引き戸２に固定される錠受け３と、  相手部材１に固定され、施錠状態において引き戸２の相対移動を禁止する錠装置４とを有し、  前記錠装置４は、施錠位置と解錠位置の間を移動自在で、かつ施錠位置側に付勢されて錠受け３に係合する操作部材５の複数を備え、  前記操作部材５は、錠装置４からの引っ張り操作によって解錠位置に移動する適数の施錠部材６と、錠受け３に対する乗り上がり面７が引き戸２の開放方向への操作力により受ける分力によって解錠位置に移動する適数のダミー部材８とを混在させて構成する。【選択図】  図１
2005213992.tif 000002
【特許請求の範囲】
【請求項１】
開閉操作により相手部材に対して相対移動する引き戸に固定される錠受けと、
相手部材に固定され、施錠状態において引き戸の相対移動を禁止する錠装置とを有し、
前記錠装置は、施錠位置と解錠位置の間を移動自在で、かつ施錠位置側に付勢されて錠受けに係合する操作部材の複数を備え、
前記操作部材には、錠装置からの引っ張り操作によって解錠位置に移動する適数の施錠部材と、錠受けに対する乗り上がり面が引き戸の開放方向への操作力により受ける分力によって解錠位置に移動する適数のダミー部材とが混在する引き戸用補助錠。
【請求項２】
前記乗り上がり面は操作部材の端部を斜めにカットして形成され、引き戸の移動方向に対する操作部材の向きを変更することでダミー部材と施錠部材が変更自在で、
かつ、前記錠受けには、引き戸を閉める方向の操作力によって操作部材を解錠位置に移動させる分力を生じさせるのこぎり歯状の被係合部が形成される請求項１記載の引き戸用補助錠。
【発明の詳細な説明】
【技術分野】
【０００１】
本発明は引き戸用補助錠に関するものである。
【背景技術】
【０００２】
従来、引き戸用補助錠としては、特許文献１に記載されたものが知られている。この従来例において、引き戸用補助錠は、複数の凹凸からなるラック歯が形成された固定プレートと、複数の凹凸からなる噛合歯が形成された補助ロック装置とを有し、引き違い戸の室外側引き戸の室内面側に貼り付けた固定プレートのラック歯に対し、室内側から補助ロック装置の噛合歯を噛み合わせることにより引き違い戸を施錠する。補助ロック装置は、上記噛合歯が形成された噛み合いプレートと、この噛み合いプレートとの間隔を調整自在な板材とを備え、固定プレートと戸枠の室内側側壁との間でこれらの間隔を拡張させることにより、噛合歯をラック歯に噛み合わせた状態で戸枠内に突っ張るようにして固定される。この固定状態において補助ロック装置の側面は室内側引き戸の引き違い面に当接し、これにより室内側引き戸と室外側引き戸の引き違い方向への移動が禁止される。
【０００３】
また、上記噛み合いプレートと板材との間隔は、噛み合いプレートが形成されるケース本体に対して上記板材が突設されたスライドプレートをスライド移動させることにより調整することができ、このスライド移動は、ケース本体に対して回動自在な回動プレートの螺旋リブがスライドプレートの摺動片を回動に伴って順送りすることによりなされる。さらに、上記回動プレートは、ケース本体から露出する係合孔を備え、この係合孔に差し込まれて嵌合する操作つまみの回動操作に伴って回動する。係合孔には工具による不正解錠操作を防止するためにロールピンが設けられることから、操作つまみ以外の手段によって回動プレートが不正に回動されることはない。
【特許文献１】特開２０００-６４６９９
【発明の開示】
【発明が解決しようとする課題】
【０００４】
しかしながら、上記従来例においては、不正解錠操作を防止するために、施錠状態において操作つまみを係合孔から取り外して別途適宜の場所に保管しなければならず、管理が面倒であるという欠点を有する。
【０００５】
また、上記従来例は、施錠状態から引き戸を開くために、先ず上記保管場所から操作つまみを持って来て係合孔に差し込み、次いで操作つまみを回転させて回動プレートにより噛み合いプレートと板材との間隔を狭め、この後、戸枠から補助ロック装置を取り外さなければならず、手間がかかるとともに取り外した補助ロック装置を紛失しやすいという欠点がある。
【０００６】
さらに、上記従来例は、施解錠コードが係合孔と操作つまみの形状により決定され、変更することができないという欠点がある。
本発明は、以上の欠点を解消すべくなされたものであって、取り扱いが容易であるとともに、操作が簡単で、かつ、施解錠コードが可変な引き戸用補助錠の提供を目的とする。
【課題を解決するための手段】
【０００７】
本発明によれば上記目的は、
開閉操作により相手部材１に対して相対移動する引き戸２に固定される錠受け３と、
相手部材１に固定され、施錠状態において引き戸２の相対移動を禁止する錠装置４とを有し、
前記錠装置４は、施錠位置と解錠位置の間を移動自在で、かつ施錠位置側に付勢されて錠受け３に係合する操作部材５の複数を備え、
前記操作部材５には、錠装置４からの引っ張り操作によって解錠位置に移動する適数の施錠部材６と、錠受け３に対する乗り上がり面７が引き戸２の開放方向への操作力により受ける分力によって解錠位置に移動する適数のダミー部材８とが混在する引き戸用補助錠を提供することにより達成される。
【０００８】
本発明によれば、錠装置４は、錠受け３が固定される引き戸２の開閉操作時に相対移動する相手部材１、例えば、戸枠や、上記引き戸２が引き違い戸の一方である場合には他方の引き戸などに固定され、操作部材５を施錠位置と解錠位置との間で移動させて錠受け３に直接係脱させることにより、引き戸２を施解錠する。
【０００９】
操作部材５は、バネなどの弾性体によってあるいは弾性体で形成されることによって、施錠位置側に付勢されるために、特段の操作を要することなく引き戸２を施錠することができる。一方、不正な解錠操作を防止するために、上記操作部材５は、適数の施錠部材６と適数のダミー部材８とを混在させて構成される。ダミー部材８は、錠受け３に当接する乗り上がり面７を備え、引き戸２が開放方向に操作されたときに、錠受け３から上記乗り上がり面７への操作力の伝達によって生じる分力により解錠位置に移動する。このような乗り上がり面７は、例えば、引き戸２の開放方向とダミー部材８の解錠位置方向とに対してそれぞれ傾斜する傾斜面で構成することが可能である。したがって、ダミー部材８は引き戸２を開くために操作する必要がないが、本来操作しなければならない施錠部材６の目くらましとなり、不正解錠操作を困難にすることができる。また、施錠部材６を適数設定することで、少ない操作部材５の数において多数の解錠コード違いを設けることができる。
【００１０】
さらに、解錠操作は、操作部材５に含まれる施錠部材６の全てを解錠位置に移動させるだけ、すなわち仮に施錠部材６が複数であってもこれらの同時操作によるワンタッチでできるために、使い勝手を極めて向上させることができる。
【００１１】
一方、上記施錠部材６は、乗り上がり面７を有しないこと、すなわち傾斜面等を形成しないまたは傾斜面等を上記分力が生じない方向に向けること、あるいは施錠部材６を強制的に施錠位置に保持する拘束手段を設けることなどにより構成することが可能である。この場合において上述したように傾斜面の向きを変えて構成すれば、解錠コードを簡単に変更することができる。
【００１２】
さらに、本発明の引き戸用補助錠によれば、上述したように操作部材５が施錠位置に付勢されることにより、解錠後に施錠状態に自動復帰することができ、再施錠の使い勝手がよい上に、本発明の引き戸用補助錠をガラス戸の室内側に配置した場合には、以下に示すように室外側からガラスの局部を破ってなされる錠装置に対する不正解錠を有効に防止することができる。すなわち、操作部材３を引っ張った状態で錠受け２に対して錠装置４を相対移動させなければ再施錠されてしまうが、室外側からガラス戸を跨いで手を差し込んだままではガラス戸を自由に移動させることができないために上記相対移動を困難にすることができ、不正解錠を防止することができる。
【００１３】
加えて、錠受け３に対し、引き戸２を閉める方向の操作力によって操作部材５を解錠位置に移動させる分力を生じさせる被係合部９を形成した場合には、操作部材５を操作することなく引き戸を閉めることができる。
【発明の効果】
【００１４】
以上の説明から明らかなように、本発明によれば、取り扱いが容易であるとともに、施解錠操作も簡単で、かつ、施解錠コードが可変な引き戸用補助錠を提供することができるために、引き戸の操作性を損ねることなく防犯性を高めることができる。
【発明を実施するための最良の形態】
【００１５】
図１および図２に本発明の引き戸用補助錠によって引き違い戸を施錠した状態を示す。この実施の形態において、矩形形状の窓の周縁には戸枠１１が形成され、引き違い戸は、下方の戸枠１１ａに突設される２本の平行なレール１５、１５にそれぞれの下端を嵌合させて室内側と室内側とに引き違い自在に配置される２枚のガラス戸により構成される。各ガラス戸は窓ガラス１２の周縁を縦框１３と横框１４で囲って形成され、戸枠１１に対して横方向（図１および図２におけるＡＢ方向）に摺動する。この２枚のガラス戸は、図１に示すようにクレセント錠１６により互い違いになる窓を閉じた位置で施錠される。引き戸用補助錠は、上記引き違い戸における室外側ガラス戸（引き戸２）の室内面側に固定される錠受け３と、室内側ガラス戸（相手部材１）の室外側ガラス戸２に対する引き違い面に固定される錠装置４とを有する。錠受け３は、表面に突起（被係合部９）が所定ピッチで複数形成された長寸の板材であり、耐摩耗性等の高いポリアセタール樹脂を射出成形して形成され、裏面が図示しない強力粘着テープによって室外側ガラス戸２の下框１４ａに貼着される。上記突起９は、図３（ａ）に示すように、板材からほぼ直角に隆起する立ち上がり壁９ａの終端から室外側引き戸１を閉める方向（図１および図２におけるＢ方向）に向かって低くなる傾斜壁９ｂを備えた平面視略直角三角形形状に形成され、また、各突起９の間には、突起９の底面の周縁に下端縁を隣接させて上記傾斜壁９ｂの傾斜角度と一致する角度で板材から平面視二等辺三角形形状に隆起するダミー突起１７が形成される。
【００１６】
錠装置４は、操作ピン（操作部材５）を進退動自在に保持する錠本体１８を有し、該錠本体１８に固定される固定具１９を介して室内側ガラス戸１に固定される。操作ピン５は、図３（ｂ）ないし（ｄ）に示すように、円柱形状の摘み部２０の下方を略直方体形状に潰して係合部２１を形成した段付きピンであり、合成樹脂を射出成型して形成される。この操作ピン５の頭部には全周に渡って窪み５ａが形成されて滑り止めのためのゴム製のリング２２が装着される。また、上記係合部２１には、後述するスライド板２３に摺接する細幅の幅狭部５ｂが下端近傍に所定長さに渡って形成されるとともに、下端には、上述した突起９の傾斜壁９ｂに対峙したときに嵌合可能な傾斜角にカットされた傾斜面（乗り上がり面７）が形成される。
【００１７】
錠本体１８は、図３（ａ）および図４に示すように、略矩形形状の底壁の周縁から側壁を立設させて形成される本体ケース２４の上部を蓋体２５で閉塞して箱状に形成される本体部２６を有し、上記本体ケース２４の底壁に穿設された平面視矩形の矩形孔２４ａと蓋体２５に穿設された平面視円形の円形孔２５ａとにより形成される貫通孔を備える。この貫通孔は、錠受け３に形成される突起９のピッチと同ピッチで錠本体１８に３列形成され、各列ごとに２行、すなわち図２に示すように錠受け３の長手方向に沿って３個、幅方向に沿って２個の合計６個形成される。
【００１８】
上述した操作ピン５は、摘み部２０が上記蓋体２５の円形孔２５ａに摺動自在に挿通されるとともに、係合部２１が本体ケース２４の矩形孔２４ａに摺動自在に挿通され、本体部２６を貫通して進退動自在に６個組み付けられる。このように本体ケース２４の矩形孔２４ａに直方体形状の係合部２１を挿入することで、前述した傾斜面の傾斜方向を除いて線対称に形成される操作ピン５のピン周りの回転を規制することができる。この操作ピン５は、摘み部２０と係合部２１の段差が矩形孔２４ａの周縁に係止することで本体ケース２４底壁側への移動が規制されて施錠位置をとり、前記段差が円形孔２５ａの周縁に係止することで蓋体２５側への移動が規制されて解錠位置をとる。なお、図３において２７は摘み部２０に巻き付けられた圧縮コイルスプリングであり、一端が蓋体２５の裏面に、他端が係合部２１と摘み部２０との段差に当接して操作ピン５を本体ケース２４底壁側に付勢する。
【００１９】
一方、固定具１９は、本体部２６に固定される本体部取り付け部２８と、該本体部取り付け部２８に固定されるとともに室内側ガラス戸１に固定されるガラス戸取り付け部２９とを有する。本体部取り付け部２８は、金属製の板材を直角に折り曲げて上記本体ケース２４の側壁と底壁に沿うようにして形成され、本体ケース２４の底壁に対応する基部２８ｂには上記本体ケース２４の矩形孔２４ａに連通する矩形孔２８ａが開設される。基部２８ｂは本体ケースの底壁に対して蓋体２５の反対面側にねじ止めされ、該基部２８ｂの一端から本体ケース２４の側壁に沿って立設される立壁２８ｃは、本体ケース２４の側壁よりも幅広に形成されて本体ケース２４からリブ状に突出し、該リブ状部分を含めた広い面積でガラス戸取り付け部２９に当接してねじ止めされる。
【００２０】
ガラス戸取り付け部２９は、上記立壁２８ｃがねじ止めされる金属製の矩形の平板材３０と、この平板材３０に固定されるとともに室内側ガラス戸１に固定される直方体形状の間隙形成部材３１とを有する。間隙形成部材３１は、合成樹脂材の射出成型により形成され、平板材３０の上記本体部取り付け部２８への固定反対面に対して内部の肉盗みを利用して図示しないねじにより固定されるとともに、同様に内部の肉盗みを利用して図１（ｂ）に点線で示すように室内側ガラス戸１の引き違い面にねじ３２により取り付けられる。
【００２１】
一般に、ガラス戸の下部には寸法調整等のために形成される開口を閉塞するためのゴムパッキンが引き違い面から突出して装着されるが、この間隙形成部材３１は図２に示すように錠本体１８の反対面よりもずれた位置で平板材３０に固定されるために、錠装置４を室内側ガラス戸１の引き違い面下部に固定した際に、引き違い面に装着されたゴムパッキン３３との接触が避けられる。なお、図２において上記ゴムパッキン３３を挟んで間隙形成部材３１の反対側に配置される３４は合成樹脂材を直方体形状に射出成型して形成される取り付け補助具であり、図示しない粘着テープによって室内側ガラス戸１の引き違い面と平板材３０に貼り付けられ、錠装置４が解錠操作されずに引き違い戸に対して開放方向の操作力が働いたときに、錠装置４にかかる負荷を間隙形成部材３１とともに負担する。
【００２２】
したがって、引き違い戸を閉じた際には、室内側ガラス戸１の引き違い面に固定された錠装置４が室外側ガラス戸２側に突出し、室外側ガラス戸２に固定された錠受け３に重なる位置をとる。この状態で本体ケース２４の底壁側に向かって付勢された操作ピン５、５・・・は、錠受け３の突起９あるいはダミー突起１７に対して係合部２１を圧接させる。このように操作ピン５の錠受け３に対する圧接方向が引き違い戸のレール１５や戸枠１１に対する直交方向に設定されることで、レール１５等に対する引き違い戸のがたつきが生じてもこれを吸収することができ、施錠状態を確実に維持することができる。なお、本体部２６には、操作ピン５と突起９との係止状態を目隠しするために、底壁の周縁から蓋体２５の反対方向、すなわち錠受け３に向かって突出する目隠し壁３５が形成される。
【００２３】
上述したように、錠受け３の突起９のピッチは錠装置４の操作ピン５の配置ピッチに一致し、突起９の傾斜壁９ｂおよびダミー突起１７の斜面は操作ピン５の傾斜面７に対峙して嵌合できる角度に形成されるために、操作ピン５が図３において中央部分に配置される向き、すなわち、傾斜面７が室外側ガラス戸２を開く方向に向かって錠受け３に対して突出して傾斜する場合には、傾斜面７がダミー突起１７の斜面に乗り上がるとことで当該操作ピン５の係合部２１は突起９の立ち上がり壁９ａに係止することはなく、錠装置４の解錠コードの判明を妨げるダミーピン（ダミー部材８）となる。一方、操作ピン５が上記と反対向き、すなわち傾斜面７が室外側ガラス戸２を閉める方向に向かって錠受け３に対して突出して傾斜する場合には、当該操作ピン５の係合部２１は錠受け３の立ち上がり壁５aに側壁３６（係止部）を係止して引き違い戸を施錠する施錠ピン（施錠部材６）となる。
【００２４】
このように傾斜面７の引き違い戸開閉方向における向きによりダミーピン８と施錠ピン６を設定できるために、操作ピン５の向きを反転させるだけで解錠コードを極めて容易に変更することができる。なお、ダミーピン８と施錠ピン６は、図１（ｂ）に示すように、操作ピン５の頭部に刻設される矢印の向きによって室内側から見たときに区別することができ、この実施の形態においては、列方向において中央に配置されるのものがダミーピン８、両端のものが施錠ピン６として設定される。
【００２５】
この状態から錠装置４を解錠する場合には、リング２２を指で摘んで手動操作により全ての施錠ピン６を圧縮コイルスプリング２７の付勢力に抗して本体部２６から引き抜き、係合部２１の側壁３６を突起９の立ち上がり壁９ａに係止する施錠位置から突起９と干渉しない解錠位置に退避させるだけでよく、施錠ピン６と突起９との係止解除により錠装置４は解錠状態となる。この状態でさらにクレセント錠１６を解錠すれば、引き違い戸を開く方向に移動させることができる。引き違い戸を開く際には、施錠位置にあるダミーピン８は、突起９の立ち上がり壁９ａおよびダミー突起１７の斜面に当接した際に傾斜面７によって解錠位置方向への分力を受けて解錠位置に移動するために、妨げになることはない。なお、図１および図２において室外側ガラス戸２の窓ガラス１２の室内面側に張り付けられた吸盤状の３７は合成ゴム製のストッパであり、引き違い戸を開く方向に大きく移動させた場合に頭部３７ａが室内側ガラス戸１の引き違い面に当接し、錠装置４が戸枠１１に衝突するような位置への室内側ガラス戸１の移動を防止する。
【００２６】
また、引き違い戸を閉めるときには、室外側ガラス戸２を開く方向に向かって突出して傾斜している突起９の傾斜壁９ｂおよびダミー突起１７の斜面は、施錠ピン６およびダミーピン８、すなわち操作ピン５に対して引き抜き方向への分力を与え、上述した解錠操作後に圧縮コイルスプリング２７によって施錠位置に自動復帰した操作ピン５を再度解錠位置に移動させる。したがって引き違い戸を閉める際に、操作ピン５に対して特段の操作をする必要はない。
【００２７】
さらに、突起９が引き違い戸の移動方向に沿って多数形成されているために、引き違い戸を閉める方向に移動させる際に施錠ピン６を係止する突起９を選択することで、施錠状態における室内側ガラス戸１と室外側ガラス戸２との相対位置を設定することができる。これにより、引き違い戸を少し開けたまま施錠することが可能となり、換気やペットの出入り等を確保することができる。
【００２８】
以上の引き戸用補助錠の解錠コードを変更する場合には、先ず、蓋体２５と本体ケース２４を固定しているねじ４７を外し、操作ピン５が解錠位置よりもさらに蓋体２５側に移動できるようにする。次いで、変更したい操作ピン５を係止部２１が本体ケース２４の矩形孔２４ａから抜け出るまで解錠方向に引き抜き、係止部２１の向きを反転させてから再度矩形孔２４ａに差し込む。この後、ねじ４７を締めて蓋体２５と本体ケース２４を固定すれば作業は終了し、上記操作ピン５は、矩形孔２４ａに挿入される係止部２１の向きが反転することで傾斜面７の向きが反転し、施錠ピン６からダミーピン８に、あるいはダミーピン８から施錠ピン６に変更される。このように操作ピン５がその向きによって施錠ピン６とダミーピン８のいずれかになるために、操作ピン５の向きを反転させるだけで、施錠ピン６の位置変更や、増減を容易にすることができ、解錠コードを多様に変更することができる。
【００２９】
加えて、この実施の形態においては、施錠ピン６を解錠位置に保持するために、施錠ピン６の移動方向に対して直交方向に進退動自在なスライド板２３が本体部２６に装着される。スライド板２３は、図４（ｃ）に示すように、操作ピン５の行方向に対応して２つの長寸の開口部３８，３８が開設された金属製の平面視略矩形形状の板材であり、本体ケース２４の底壁と本体部取り付け部２８の基部２８ｂとの間に配置されて操作ピン５の列方向に沿って摺動する。
【００３０】
このスライド板２３には、図４（ｃ）に示すように、長孔４０および長溝４１が設けられ、スライド板２３の移動に伴って本体ケース２４と本体部取り付け部２８とを連結する一対のねじ３９、３９が長孔４０および長溝４１の中で相対移動することにより、スライド板２３の本体部２６に対する移動範囲が規制される。なお、スライド板２３の本体部２６から突出する一端部はスライド操作をしやすくするために直角に折り曲げられ、合成樹脂剤からなる握りカバー４２が装着される。また、図３において４３はスライド板２３のスライド移動における摺動抵抗を高めるためのバネであり、本体ケース２４の底壁に開設される円柱形状のバネ収容部４４に収容されてスライド板２３を本体部取り付け部２８の基部２８ｂに圧接させる。
【００３１】
上述した開口部３８は、図４（ｃ）に示すように、操作ピン５の係合部２１の幅寸法を備えた挿通許容部４５と、該挿通許容部４５よりも幅狭で、操作ピン５の幅狭部５ｂの幅寸法にほぼ合致する幅寸法を備えた挿通規制部４６とを有する。挿通許容部４５は操作ピン５の列方向のピッチに対応するピッチで開口部３８に形成され、同じく操作ピン５の列方向のピッチに対応するピッチで交互に配置される挿通規制部４６によって連通される。このため、スライド板２３が、挿通許容部４５を操作ピン５の係合部２１に対応させた、すなわち挿通許容部４５を本体ケースの２４の矩形孔２４ａおよび本体部取り付け部２８の矩形孔２８ａに連通させたアンロック位置（図５（ｃ）参照）をとるときには、操作ピン５は自由に錠本体１８側（解錠位置側）や錠受け３側（施錠位置側）に進退動することができ、一方、スライド板２３が挿通規制部４６を操作ピン５の係合部２１に対応させたロック位置（図４（ｃ）参照）をとるとき、言い換えれば係合部２１の移動経路上に挿通規制部４６が存在するときには、操作ピン５は挿通規制部４６により進退動を妨げられる。
【００３２】
したがって、上述したスライド板２３がアンロック位置をとる場合において、図５（ｂ）に示すように係合部２１の下端がスライド板２３よりも上方になるまで施錠ピン６を付勢力に抗して解錠位置側に引き抜いた後、スライド板２３をスライドさせてロック位置にすれば、解錠位置に引き抜かれた施錠ピン６は挿通規制部４６に邪魔されて以後施錠位置に移動できなくなる。この状態で施錠ピン６から手を離しても、施錠ピン６は解錠位置に保持されて施錠位置に自動復帰することはないため、窓を頻繁に開閉する場合などにおける個々の解錠操作の煩雑さを解消することができる。
【００３３】
また、ロック位置の挿通規制部４６が上述した操作ピン５の幅狭部５ｂに対応する場合には、操作ピン５は、幅狭部５ｂの範囲内、すなわち、施錠位置から図５（ａ）に示す錠受け３の突起９より係合部２１の下端がやや上方に位置する仮解錠位置まで移動することができる。
【００３４】
なお、以上の実施の形態においては、６本の操作ピン５を近接させて、片手で操作することのできる領域に操作ピン５を形成する場合を示したが、片手で操作できない広い領域に操作ピン５を形成することで、不正解錠操作をより防止することができる。
【図面の簡単な説明】
【００３５】
【図１】本発明を示す図で、（ａ）は引き違い戸の全体正面図、（ｂ）は（ａ）の要部正面図である。
【図２】本発明を示す側面図で、ストッパの一部と室外側ガラス戸を要部で切断したものある。
【図３】錠装置および操作ピンを示す図で、（ａ）は図１（ｂ）の３Ａ-３Ａ線断面図、（ｂ）は操作ピンの平面図、（ｃ）は操作ピンの正面図、（ｄ）は操作ピンの側面図である。
【図４】錠装置を示す図で、（ａ）は図３（ａ）の４Ａ-４Ａ線断面図、（ｂ）は図３（ａ）の４Ｂ-４Ｂ線断面図、（ｃ）は図３（ａ）の４Ｃ-４Ｃ線断面図、（ｄ）は図３（ａ）の４Ｄ-４Ｄ線断面図である。
【図５】錠装置の操作状態を説明する図で、（ａ）はスライド板をロック位置にしたときの操作ピンの動作を示す図、（ｂ）はスライド板をアンロック位置にしたときの操作ピンの動作を示す図、（ｃ）は（ｂ）の５Ｃ-５Ｃ線断面図である。
【符号の説明】
【００３６】
１  相手部材
２  引き戸
３  錠受け
４  錠装置
５  操作部材
６  施錠部材
７  乗り上がり面
８  ダミー部材
９  被係止部
【図１】
2005213992.tif 000003
【図２】
2005213992.tif 000004
【図３】
2005213992.tif 000005
【図４】
2005213992.tif 000006
【図５】
2005213992.tif 000007